(57)【要約】【課題】落下防止対策を施したタイルを容易に加工製作することができ、搬送効率に優れ、強靭な引張強度を発揮することができるタイル構造体及びタイル取付方法を提供する。【解決手段】タイル構造体は、タイル１の取付面側（裏側）に表側に向かう穴２が形成され、穴２に接着剤４が充填され、穴２にステン線３が挿入されていて、接着剤４に埋没したステン線３が固着される。穴２に挿入されている状態で、常に同一断面内において、ステン線３の断面積は接着剤４の断面積よりも小さくなるようにステン線３が形成されている。また、１本のステン線３が折り返されてループを形成して交差する部位が接着剤４に埋没しており、ステン線３が形成するループは、穴２の深さ方向に縦長である方が好適である。ステン線３が接着剤４によって固着され、ステン線３及び接着剤４による強度が相俟って、強靭な引張強度を奏することができる。【選択図】図１
2020165140.tif 000002
【特許請求の範囲】
【請求項１】
躯体の壁面に取り付けられる平板状構造体であって、
壁面と離間して取り付けられる平板本体には、躯体に埋設される支持具との固定に用いる固定具が取り付けられ、
前記固定具は、躯体への取付面側に固定材によって保持されるものであって、
前記平板本体に形成された前記固定具を挿入する断面円形の丸穴と、
前記丸穴に前記固定具が挿入された状態で固着した前記固定材と、で構成され、
前記固定具は、前記丸穴に挿入されている状態で、同一断面内において前記固定材よりも断面積が小さいことを特徴とする平板状構造体。
【請求項２】
躯体の壁面に取り付けられる平板状構造体であって、
壁面と離間して取り付けられる平板本体には、躯体に埋設される支持具との固定に用いる固定具が取り付けられ、
前記固定具は、躯体への取付面側に固定材によって保持されるものであって、
前記平板本体に形成された前記固定具を挿入する断面円形の丸穴と、
前記丸穴に前記固定具が挿入された状態で固着した前記固定材と、で構成され、
前記固定具は、
前記丸穴に挿入されて前記固定材に固着した抜け防止手段と、
前記抜け防止手段に支持された固定手段と、
を有することを特徴とする平板状構造体。
【請求項３】
躯体の壁面に取り付けられる平板状構造体であって、
壁面と離間して取り付けられる平板本体には、躯体に埋設される支持具との固定に用いる固定具が取り付けられ、
前記固定具は、躯体への取付面側に固定材によって保持されるものであって、
前記固定具は、
前記取付面側に配設されたメッシュ状平板と、
前記メッシュ状平板に固定された固定手段と、
を有することを特徴とする平板状構造体。
【請求項４】
請求項１から３のいずれかに記載の平板状構造体を用いて、躯体に平板状構造体を取り付ける取付方法において、
躯体の壁面に支持具を埋設する工程と、
前記支持具に前記固定具を固定する工程と、
を有することを特徴とするタイル取付方法。
【発明の詳細な説明】
【技術分野】
【０００１】
本発明は、建物等構造物や壁等非構造物の躯体の壁面（内壁・外壁）に取り付けられる内装材・外装材としての平板本体を加工し、躯体からの落下防止を施した平板状構造体及びこの取付方法に関する。
【背景技術】
【０００２】
従来より、ビル・マンション・学校・病院等の建築物において、建物の構造躯体を保護するとともに建物の意匠性を向上させる機能的利点から、躯体の壁面にタイル貼りをするタイル施工法が施される。タイル施工法は、後張り工法と先付工法に大分類され、湿式工法と乾式工法とに中分類される後張り工法では、張り付け材料や留め付け材料により、モルタル張り、接着剤張り、金具留め工法、引掛け工法やこれらを併用した工法などに分類される。
【０００３】
このタイル貼りに際しては、躯体からのタイルの剥落や落下を防止する対策をとることが一般的であり、仮にこのような剥落や落下の防止対策が施されていないものは、建築基準法等の関連法規による定期点検の義務対象となることから、メンテナンスの面においてもこのような防止対策を施した施工が主流となっている。
【０００４】
このような防止対策は、直接的又は間接的に躯体に緊結や引っ掛け等で物理的固定を行うタイル張り工法によって実施され、一般的には躯体とタイルとを固定具（ステン線や金具など）で固定するものが多い。例えば、図６に示すような後張り工法の例では、ボルト・ナット等の金具を用いて、タイルが直接的に躯体に固定される工法（図６（ａ））、タイルを支持する専用の下地材や金具等が中間に位置し、タイルが間接的に躯体に固定される工法（図６（ｂ））があり、図６（ａ）に示すように、タイルが直接的に躯体に固定される工法では、タイルと躯体とを繋ぐ固定具としてステンレス鋼材を素材とするステン線を用いるものがある。
【０００５】
特許文献１に記載のタイル等仕上げ材の貼付け方法は、図７に示すように、タイルに直線上の溝を形成し、溝の中にエポキシ樹脂等の接着剤を充填し、アンカー線材の中央部を接着剤に埋没させたものである。アンカー線材の中央部にループを形成したり、松葉状に折り返したものが開示されている。
【０００６】
また、特許文献２に記載のタイル構造体は、図８に示すように、タイル裏側面に凹部が形成され、凹部に挿入されたスリーブが変形されることで凹部にリベットが固定され、リベットに取り付けられたステンレス線を躯体に緊結するものである。
【先行技術文献】
【特許文献】
【０００７】
【特許文献１】特開昭６３−２６１０５１号公報
【特許文献２】特開２０１５−１０３８０号公報
【発明の概要】
【発明が解決しようとする課題】
【０００８】
しかしながら、特許文献１のように、タイルに横長（溝の深さに対して横幅の長い）の溝を切る方法は、直線状の溝に沿ってタイルが割れやすく、タイルの強度が低下しやすい。タイルの強度を確保すべく溝を浅く形成した場合は、溝への接着剤の充填量が少なくなって接着強度が低下し、アンカー線材や接着剤がタイルから離脱する可能性が高くなる。また、アンカー線材の端部をモルタル中に埋設することから、モルタルによってアンカー線材が痛む可能性がある。
【０００９】
また、タイル裏側面に凹部を形成してリベットを固定する方法は、スリーブを変形するための専用の工具が必要となり、利便性に欠ける。また、リベットを打ち込む凹部はその上面にフランジが位置することから垂直方向に精度良く形成する必要があり、タイルの加工の手間が増える。また、凹部に接着剤等を充填するものでもない。
【００１０】
本発明は、このような課題に鑑みてなされたものであり、その目的は、落下防止対策を施した平板本体を容易に加工製作することができ、搬送効率に優れ、強靭な引張強度を発揮することができる平板状構造体及びこの取付方法を提供することにある。
【課題を解決するための手段】
【００１１】
上記課題を解決するため、本発明は、以下のものを提供する。
【００１２】
（１）  躯体の壁面に取り付けられる平板状構造体であって、壁面と離間して取り付けられる平板本体には、躯体に埋設される支持具との固定に用いる固定具が取り付けられ、前記固定具は、躯体への取付面側に固定材によって保持されるものであって、前記平板本体に形成された前記固定具を挿入する断面円形の丸穴と、前記丸穴に前記固定具が挿入された状態で固着した前記固定材と、で構成され、前記固定具は、前記丸穴に挿入されている状態で、同一断面内において前記固定材よりも断面積が小さいことを特徴とする平板状構造体。
【００１３】
本発明によれば、平板状構造体に固定具が取り付けられ、固定具を固定材によって保持することから、固定材による保持と固定具による固定とによって躯体からの平板本体の落下を防止することができるとともに、強靭な引張強度によって躯体側に平板本体を引張しておくことができる。
【００１４】
また、本発明の平板状構造体によれば、丸穴と固定材とで構成されており、断面円形の丸穴に比して挿入される固定具の断面積が小さく、引張される固定具が固定材に印加する力の影響を小さくできることから、丸穴から固定材が抜けにくくなり、結果的に強靭な引張強度によって躯体側に平板本体を引張しておくことができる。
【００１５】
（２）  躯体の壁面に取り付けられる平板状構造体であって、壁面と離間して取り付けられる平板本体には、躯体に埋設される支持具との固定に用いる固定具が取り付けられ、前記固定具は、躯体への取付面側に固定材によって保持されるものであって、前記平板本体に形成された前記固定具を挿入する断面円形の丸穴と、前記丸穴に前記固定具が挿入された状態で固着した前記固定材と、で構成され、前記固定具は、前記丸穴に挿入されて前記固定材に固着した抜け防止手段と、前記抜け防止手段に支持された固定手段と、を有することを特徴とする平板状構造体。
【００１６】
本発明の平板状構造体によれば、丸穴と固定材と固定具で構成されており、丸穴に挿入されて固定材に固着した抜け防止手段と、抜け防止手段に支持された固定手段と、を有することから、丸穴から固定手段及び抜け防止手段が抜けにくくなり、結果的に強靭な引張強度によって躯体側に平板本体を引張しておくことができる。
【００１７】
（３）  躯体の壁面に取り付けられる平板状構造体であって、壁面と離間して取り付けられる平板本体には、躯体に埋設される支持具との固定に用いる固定具が取り付けられ、前記固定具は、躯体への取付面側に固定材によって保持されるものであって、前記固定具は、前記取付面側に配設されたメッシュ状平板と、前記メッシュ状平板に固定された固定手段と、を有することを特徴とする平板状構造体。
【００１８】
本発明の平板状構造体によれば、メッシュ状平板と固定材と固定具とで構成されており、固定具は、メッシュ状平板と固定手段とを有することから、固定材による保持とメッシュ状平板が保持する固定手段とによって躯体からの平板本体の落下を防止することができるとともに、強靭な引張強度によって躯体側に平板本体を引張しておくことができる。また、単に固定材と固定具とで構成して引張強度を高めるには固定材の量を多くしてかさ盛りして固定する必要があるが、メッシュ状平板による保持によって固定剤をかさ盛りする必要がない。
【００１９】
（４）  上記記載の平板状構造体を用いて、躯体に平板状構造体を取り付ける取付方法において、躯体の壁面に支持具を埋設する工程と、前記支持具に前記固定具を固定する工程と、を有することを特徴とする取付方法。
【００２０】
本発明によれば、躯体の壁面に支持具を埋設して、この支持具に固定具を固定することから、躯体と平板状構造体とが固定具を介して固定されることにより、躯体からの平板本体の落下を防止することができる。
【発明の効果】
【００２１】
本発明の平板状構造体によれば、落下防止対策を施した平板本体を容易に加工製作することができ、強靭な引張強度を発揮することができるという効果を有する。また、取付面側で凹んでいたりメッシュ状平板を貼り付けていることから、積層又は横並びにしても他の平板状構造体との干渉を生じることがなく、搬送効率に優れているという効果を有する。
【図面の簡単な説明】
【００２２】
【図１】本発明の実施の形態に係る穴を施したタイル構造体の施工工程を示す図。
【図２】図１のタイル構造体の断面図。
【図３】本発明の実施の形態に係る穴を施したタイル構造体の他の例を示す図。
【図４】本発明の実施の形態に係るメッシュ状平板を施したタイル構造体の例を示す図。
【図５】本発明の実施の形態に係るタイル取付方法の取付例を示す図。
【図６】従来のタイル取付例を示す図。
【図７】従来のタイル取付例を示す図。
【図８】従来のタイル取付例を示す図。
【発明を実施するための最良の形態】
【００２３】
以下、本発明の実施の形態に係るタイル構造体の例について、図１から図４を用いて説明する。本発明の平板状構造体はタイルや石材その他のものを含むが、以下では、一例としてタイル構造体として説明する。平板状構造体の材質は、陶磁器、石、コンクリート、プラスチック、大理石など種々採用可能である。また、以下に示すタイル構造体は、建物等の壁や床を覆うタイル（平板本体）を加工するものであり、タイル１は、例えば４００ｍｍ角，６００ｍｍ角，６００ｍｍ×３００ｍｍ角，１２００ｍｍ×６００ｍｍ角，１２００ｍｍ×９００ｍｍ角などの矩形形状や、円板状、楕円板状、菱形板状などである。
【００２４】
図１は、タイル構造体の施工工程を示しており、タイル１の取付面側（裏側）に表側に向かう穴２が形成され（図１（ａ））、穴２に固定材としての接着剤４が充填され、穴２にステン線３が挿入されていて、接着剤４に埋没したステン線３が固着される（図１（ｂ））。
【００２５】
タイル１の厚みに対する穴２の深さは、例えば、タイル１が１０ｍｍ厚に対して約７ｍｍの穴２、タイル１が６ｍｍ厚に対して約４ｍｍの穴２である。大凡６ｍｍ厚以上のタイル１に対して、ドリル等で掘削して穴２の形成加工が適用可能である。
【００２６】
穴２は、断面円形の丸穴であり、正円や楕円形状を含む。断面円形とすることで、タイル１に加わる歪みによるダメージを丸穴によって分散させることができることから、タイル１のひび割れによる破損を防ぐことができる。
【００２７】
ステン線３は、タイル１を上方で吊り上げてタイル１の落下を防止するための固定具である。ステン線３に用いるステンレス鋼線は、錆びや腐食に耐性を有する。また、接着剤４は、固定材として固定具を保持する。ステン線３が接着剤４によって固着され、ステン線３及び接着剤４による強度が相俟って、強靭な引張強度を発揮することができる。また、接着剤４を穴２に充填することによって、穴２に浸入する水を防ぎ、穴２からのタイル１へのダメージを防止することができる。
【００２８】
ステン線３の形状は、接着剤４との絡まりによって接触面積を増やす方が強度が高く、１本線の状態で固着するよりも、折り返された２本線の状態で固着する方が好適である。また、１本のステン線が折り返されてループを形成して交差する部位が接着剤４に埋没している方が強度が高く、さらに、穴２の横幅方向の全面に亘って折り返されるよりも、穴２の深さ方向にスマートに折り返されている方が、引張された場合の穴２からの接着剤４及びステン線３の抜けを効果的に防止できることから、強靭な引張強度を奏することができる。このように、ステン線３が形成するループは、穴２の深さ方向に縦長である方が好適である。
【００２９】
また、図２に示すように、丸穴２に挿入されている状態で、常に同一断面内において、ステン線３の断面積は接着剤４の断面積よりも小さくなるようにステン線３が形成されている。ステン線３の断面積が大きい部分があると、引張された際にこの部分から接着剤４が剥離する可能性が大きいことから、常にステン線３の断面積が小さくなるようにしている。なお、丸穴２に挿入されている状態で、丸穴２の中央寄りにステン線３が位置するように配置するとよい。ステン線３が丸穴２の壁面近傍に位置すると壁面振動によりステン線３がタイル１を削ってしまう可能性がある。
【００３０】
図３は、タイル構造体の他の例を示しており、図１及び図２に示すステン線３によるタイル構造体に加えて、ステン線３Ａやステン板３Ｂの抜けを防止する抜け防止手段５Ａ，５Ｂ，５Ｃが施されている。いずれの抜け防止手段５Ａ乃至５Ｃも、穴２内に挿入されて接着剤４に固着される。ステン線３Ａやステン板３Ｂが支持された抜け防止手段５Ａ乃至５Ｃを挿入して接着剤４を充填するか、接着剤４を充填してステン線３Ａやステン板３Ｂが支持された抜け防止手段５Ａ乃至５Ｃを挿入するかのいずれの方法でもよく、抜け防止手段の加工や操作等に用いる特殊な工具は不要である。
【００３１】
図３（ａ）〜図３（ｃ）は、抜け防止手段５Ａの一例として、ネジ部に溝が切られているボルト（金具）５Ａを用いている。図３（ａ）はボルトが接着剤４内に嵌入した状態で固着しており、接着剤４によってボルト５Ａが抜けにくくなっている。また、ネジ部の溝に接着剤が絡まることで接着強度を高めている。ボルトのフランジ下部にステン線３Ａが結束支持され、引張強度を増している。図３（ｂ）は転倒姿勢でボルト５Ａを固着しており、上部のネジ部をナット５Ｂで締結し、このナット５Ｂ下部にステン線３Ａが結束支持され、引張強度を増している。図３（ｃ）はボルト５Ａが接着剤４内に嵌入した状態で固着され、ボルト５Ａと接着剤４の間にステン板３Ｂを配置していることで、ステン板３Ｂを支持している。
【００３２】
図３（ｄ）は、抜け防止手段５Ｃの一例として、穴２の壁面との接触により抜けを防止することで引張強度を増している。抜け防止手段５Ｃとしては、蝶型の花弁が壁面に接触するものや、松葉状の傘針が壁面に突き刺さるものなどが挙げられ、穴２の挿入時に花弁や傘針が突出して壁面に嵌装する構造であれば、より効果的である。
【００３３】
図３（ｅ）は、抜け防止手段５Ｄの一例として、ステン線３Ａのループ状部分の抜けを阻止し、ステン線３Ａの抜けを防止することで引張強度を増している。ループ状部分の抜けを阻止する部材は、上下に少なくとも２つの貫通穴を有する平板円盤状のものであればよい。なお、この平板円板状のものであれば、ステン線３Ａ自体の抜けを防止することができればよいことから、ステン線３Ａのループ状部分がなくてもよい（図３（ｆ）参照）。
【００３４】
図４は、メッシュ状平板６を施したタイル構造体を示しており、図４（ａ）はタイル１に複数のメッシュ状平板が配設されている例、図４（ｂ）は、メッシュ状平板６部分の部分拡大図、図４（ｃ）は断面図である。タイル１に穴開け加工をすることなく、ステン線３を接着剤でタイル１に固着させるよりも強靭な引張強度を確保することができる。メッシュ状平板６はステンレス製であり、極薄のタイル（１ｍｍ厚、３ｍｍ厚など）に適用可能である。
【００３５】
タイル１にメッシュ状平板６を設ける工程は、予めステン線３をメッシュ状平板６に固定しておき、このメッシュ状平板６をタイル１の取付面側（裏面）の所望の位置に当接して接着剤４で固着する（接着層４ａ）とともに、メッシュ状平板６を覆うように接着剤４で固着する（接着層４ｂ）。ステン線３は、メッシュ状平板６のメッシュ部分から出入りするように縫着されていることから、接着層４ｂで固着される部分やメッシュ状平板６内に挿通される部分が存在し、メッシュ状平板６内にも毛細血管現象によって接着剤４が入り込むことから、メッシュ状平板６内に挿通されたステン線も接着層４ａ，４ｂの接着剤によって固着されることとなる。なお、接着層４ａはメッシュ状平板６の裏面に貼付された両面テープであってもよい。
【００３６】
図５は、本発明の実施の形態に係るタイル取付方法の取付例を示す図である。図１乃至図４に示すタイル構造体を適用してタイル１を躯体に取り付けることができる。
【００３７】
まず、躯体の壁面に支持具としてのビスを埋設するために、ドリルで下穴を開けておき、ビスを打ち込んで取り付ける。次に、壁面又はタイル構造体に変成シリコン・エポキシ樹脂系等の弾性接着剤をだんご状に点張りするかビート状に縦塗りする（図示黒点）。次に、タイル構造体を張り付け、タイル構造体に付属しているステン線３をビスに巻き付ける。最後に、タイル１の落下防止としてドリルでビスを締め付けて、ステン線３を緊結する。
【００３８】
図５では、躯体の壁面とタイル１との間に隙間を設けており、壁面に発生する応力がタイル１に直接伝わらないようにしている。また、隙間に弾性接着剤を離間して複数塗布することで、壁面に発生する応力で弾性接着剤の１つが剥離しても他でカバーすることができる。
【００３９】
また、湿気や漏水等により接着剤の接着強度は低下し、接着強度の低下はタイル剥離の危険性が増加する。しかしながら、接着剤の接着強度が低下した場合でも、タイルは固定具や抜け防止手段で固定されているので、安全性の向上及び品質の向上を図ることができる。
【産業上の利用可能性】
【００４０】
本発明の平板状構造体は、躯体からの平板本体の落下を防止するものとして有用である。
【符号の説明】
【００４１】
１  タイル
２  穴
３  固定具としてのステン線（３Ａ：ステン線，３Ｂ：ステン板）
４  接着剤
５  固定具としての抜け防止手段（５Ａ，５Ｂ，５Ｃ，５Ｄ）
６  メッシュ状平板
【図１】
2020165140.tif 000003
【図２】
2020165140.tif 000004
【図３】
2020165140.tif 000005
【図４】
2020165140.tif 000006
【図５】
2020165140.tif 000007
【図６】
2020165140.tif 000008
【図７】
2020165140.tif 000009
【図８】
2020165140.tif 000010